(57)【要約】【課題】光ディスクから信号を読み取るレーザーダイオードの発光期間を制御して常時消費電力の低減を実現する光学的情報再生装置を提供する。【解決手段】トリガー信号発生手段５は、波形サンプリング手段４がトリガー信号発生手段５から得たトリガー信号の立ち上がりでピックアップ３の再生信号をサンプリングするタイミングにおいては、ピックアップ手段３のレーザーダイオードが必ず発光しており、その他の期間では発光を停止するように制御する制御信号をレーザーダイオード制御手段６に送ることによって発光期間を極力狭くしながら常時消費電力の低減を実現する。【選択図】図１
2005038498.tif 000002
【特許請求の範囲】
【請求項１】
ディスク上の同心円状または螺旋状のトラックに記録された信号を読み取る光学的情報再生装置であって、
前記ディスク上の信号を読み取るピックアップ手段と、
前記ピックアップ手段により発生した信号を外部からのトリガー信号によってサンプリングする波形サンプリング手段と、
前記波形サンプリング手段に対してサンプリングを行うためのトリガー信号を出力し、かつ、前記ピックアップ手段のレーザーダイオードの発光期間を制御するための制御信号を出力するトリガー信号発生手段と、
前記トリガー信号発生手段が出力したレーザーダイオードの発光期間を制御するための制御信号に従って、前記ピックアップ手段のレーザーダイオードの発光期間の制御を行うレーザーダイオード制御手段とを備え、
前記トリガー信号発生手段は、前記波形サンプリング手段にトリガー信号を出力し、前記波形サンプリング手段が前記ピックアップ手段の出力波形をサンプリングするタイミングには前記ピックアップ手段のレーザーダイオードが発光しているように制御する制御信号を前記レーザーダイオード制御手段に出力することを特徴とする光学的情報再生装置。
【発明の詳細な説明】
【技術分野】
【０００１】
本発明は、記録媒体から光学的に情報を読み取る事を目的とした光学的情報再生装置に関し、さらにくわしくはその消費電力の低減に関するものである。
【背景技術】
【０００２】
近年、コンパクトディスク（以下ＣＤ）や、ミニディスク（以下ＭＤ）を用いた携帯形再生装置が多く用いられ、電池を電源に用いたときに長時間の再生ができることが強く求められている。従来、電力消費の低減を目的としてレーザーダイオードの発光に関する制御を行う光学的情報再生装置としては特許文献１の特開２００１−３３１９６０号公報、または、特許文献２の特開２００２−６３７２６号公報に記載されたものなどが知られている。
【０００３】
特許文献１に記載のものは、任意の固定クロックを用いてレーザーダイオードの発光期間の制御を行い、それによって得られた波形を包絡線検波回路または低域通過フィルタを用いて波形整形することで信号を復元している。
【０００４】
特許文献２に記載のものは、読み出されたデータ信号より創りだされる同期クロックを用いてレーザーダイオードの発光期間の制御を行うことでデジタル信号として必要な部分のみを読みとっている。
【特許文献１】特開２００１−３３１９６０号公報
【特許文献２】特開２００２−６３７２６号公報
【発明の開示】
【発明が解決しようとする課題】
【０００５】
しかしながら、特許文献１の特開２００１−３３１９６０号公報に記載された従来の技術では、レーザーダイオードの発光期間を短くすると波形の復元性が損なわれる。したがって必要な波形の復元を可能とするためにはある程度以上のレーザーダイオードの発光期間が必要となる。
【０００６】
また、特許文献２の特開２００２−６３７２６号公報に記載された従来の技術では、クロックが同期している時しかレーザーダイオードの制御が行えないので、クロックの同期が外れている状態においてはレーザーダイオードの発光期間の制御が行えず、連続的にレーザーダイオードを発光させなければならない。
【０００７】
本発明は、上記従来の問題点を改善するもので、波形をサンプリングし、そのサンプリングに必要な期間のみレーザーダイオードの発光が得られるよう制御することで波形情報の劣化のない状態で、常時、消費電力の低減を実現するレーザーダイオードの発光期間の制御を行うことができる光学的情報再生装置を提供することを目的としてなされたものである。
【課題を解決するための手段】
【０００８】
この課題を解決するために本発明の光学的情報再生装置は、ディスク上の同心円状または螺旋状のトラックに記録された信号を読み取る光学的情報再生装置であって、前記ディスク上の信号を読み取るピックアップ手段と、前記ピックアップ手段により発生した信号を外部からのトリガー信号によってサンプリングする波形サンプリング手段と、前記波形サンプリング手段に対してサンプリングを行うためのトリガー信号を出力し、かつ、前記ピックアップ手段のレーザーダイオードの発光期間を制御するための制御信号を出力するトリガー信号発生手段と、前記トリガー信号発生手段が出力したレーザーダイオードの発光期間を制御するための制御信号に従って、前記ピックアップ手段のレーザーダイオードの発光期間の制御を行うレーザーダイオード制御手段とを備え、前記トリガー信号発生手段は、前記波形サンプリング手段にトリガー信号を出力し、前記波形サンプリング手段が前記ピックアップ手段の出力波形をサンプリングするタイミングには前記ピックアップ手段のレーザーダイオードが発光しているように制御する制御信号を前記レーザーダイオード制御手段に出力するように構成したものである。
【発明の効果】
【０００９】
本発明は上記の構成により、波形サンプリング手段がピックアップ手段の出力波形をサンプリングするタイミングにはピックアップ手段のレーザーダイオードが発光しているように制御するので、レーザーダイオードの発光期間を極力短くできるので消費電力を低減し、電池電源使用時の長時間動作を可能にするという有利な効果が得られる。
【発明を実施するための最良の形態】
【００１０】
以下、図面に基づいて本発明の一実施形態の光学的情報再生装置について説明する。図１は本発明の一実施形態における光学的情報再生装置のブロック図、図２は同じくそのレーザーダイオードの発光期間の制御を行わなずにサンプリングを行った場合の各部の信号波形図、図３は同じくそのレーザーダイオードの発光期間制御を行ってサンプリングを行った場合の各部の波形図である。
【００１１】
図１において、信号が記録されているディスク１は、ディスクモータ２で任意の速度で回転される。ピックアップ手段３は、ディスク１上に記録された信号を読み取り、ピックアップ手段３により発生した信号は、波形サンプリング手段４が外部からのトリガー信号によってサンプリングする。トリガー信号発生手段５は、波形サンプリング手段４に対してサンプリングを行うためのトリガー信号を出力し、かつ、レーザーダイオード制御手段６に対して、ピックアップ手段３のレーザーダイオードの発光期間を制御するための制御信号を出力する。レーザーダイオード制御手段６はトリガー信号発生手段５より出力された、レーザーダイオードの発光期間を制御するための制御信号に従って、ピックアップ手段３のレーザーダイオードの発光期間の制御を行う。
【００１２】
なお、ディスクモータ２の回転、ピックアップ手段３のフォーカシング・トラッキングなどの制御、ピックアップ手段３から読み出された信号の処理などは公知の技術であり、本発明の特徴ではないので説明を省略する。
【００１３】
以上のように構成された光学的情報再生装置について、以下その動作を説明する。まず、ピックアップ手段３により発生したビーム光はディスクモーター２によって回転しているディスク１の面上に照射され、情報信号による明暗を有する反射光がピックアップ手段３で電気的信号に変換される。
【００１４】
この信号を読みとるのに近年、ビタビという技術が広く用いられている。これはピックアップ手段３から出力された信号を固定クロックなど任意のトリガーでサンプリングすることによってピックアップ手段３の出力信号からディスク１に記録された情報信号を認識するものである。
【００１５】
ビタビ処理のためのサンプリング動作を図２を用いて説明すると、まず、レーザーダイオードの発光期間制御を行わなずにサンプリングを行った場合、すなわちレーザーダイオードが常時発光している場合について、図２の（ａ）はディスク１に記録された情報信号をピックアップ手段３が読みとって電気的信号として出力した波形である。これを任意の固定クロックの立ち上がりエッジでサンプリングする場合、トリガー信号発生手段５は図２の（ｂ）のような波形を波形サンプリング手段４にトリガー信号として出力する。これを用いて波形サンプリング手段４が図２の（ａ）のピックアップ手段３の出力波形をトリガー信号の立ち上がりのタイミングでサンプリングすることによって図２の（ｃ）に示されるサンプリング結果が得られる。
【００１６】
これに対して本発明であるレーザー発光期間の制御を行った場合の動作を図３を用いて説明すると、まず、図３の（ｄ）は、トリガー信号発生手段５がレーザーダイオード制御手段６に出力する制御波形で、この制御波形は、波形サンプリング手段４が、同じくトリガー信号発生手段５から得た図３の（ｂ）の固定クロック波形の立ち上がりエッジでピックアップ手段３の出力波形のサンプリングを行うタイミングを含む短い期間において、ピックアップ手段３のレーザーダイオードが必ず発光しており、そのタイミングを含む範囲以外では、ピックアップ手段３のレーザーダイオードの発光量を０にするようレーザーダイオード制御手段６を動作させるように出力する。
【００１７】
この制御波形を用いてレーザーダイオード制御手段６がピックアップ手段３のレーザーダイオードの発光期間が短くなるよう制御した状態で、ディスク１に記録された情報信号をピックアップ手段３が読み取ると、ピックアップ手段３から出力される信号波形は図３の（ａ）のようになる。この波形を波形サンプリング手段４がトリガー発生手段５から入力される図３の（ｂ）のクロック波形の立ち上がりエッジでトリガーをかけてサンプリングすると図３の（ｃ）に示されるサンプリング結果が得られる。図３の（ｃ）に示されたサンプリング結果は、レーザーダイオードの発光期間を制御しなかった場合の図２の（ｃ）に示されるサンプリング結果と全く同一のもので、ディスク１に記録された情報を全く劣化させることなく読み取り、レーザーダイオードの発光量を０に制御している期間の分だけ消費電力を低減することができるものである。
【００１８】
このように本実施形態によれば、トリガー信号発生手段は、トリガー信号の立ち上がりでピックアップの再生信号をサンプリングするタイミングにはピックアップ手段のレーザーダイオードが必ず発光し、その他の期間では発光を停止するように制御する制御信号をレーザーダイオード制御手段に送ることによって発光期間を極力短くしながら常時消費電力の低減を実現する。
【産業上の利用可能性】
【００１９】
以上説明したように、本発明の光学的情報再生装置によれば、サンプリングに必要なタイミングに合わせてレーザーダイオードの発光期間が短くなるよう制御することにより、劣化のないディスク情報信号の読み取りができるとともに常時消費電力の低減動作を実現でき、電池電源使用時の長時間動作を可能にするという有利な効果が得られる。
【図面の簡単な説明】
【００２０】
【図１】本発明の一実施形態における光学的情報再生装置のブロック図
【図２】同じくそのレーザーダイオードの発光期間制御を行わなずにサンプリングを行った場合の各部の信号波形図
【図３】同じくそのレーザーダイオードの発光期間制御を行ってサンプリングを行った場合の各部の波形図
【符号の説明】
【００２１】
１    ディスク
２    ディスクモーター
３    ピックアップ手段
４    波形サンプリング手段
５    トリガー信号発生手段
６    レーザーダイオード制御手段
【図１】
2005038498.tif 000003
【図２】
2005038498.tif 000004
【図３】
2005038498.tif 000005